(57)【要約】【課題】複数の収納ユニットを一度に引き出すことによる転倒を防止できる物品収納装置を提供する。【解決手段】物品収納装置１０は、装置本体１００と、物品を収納する複数の収納ユニット１０１と、制御部とを含む。収納ユニット１０１は、装置本体１００内に収容される収容位置から、少なくとも一部が装置本体１００外に引き出される引出位置へ横方向に引き出し可能である。制御部は、複数の収納ユニット１０１のそれぞれの引き出しを許可する。いずれかの収納ユニット１０１の引き出しが許可された場合に、制御部は、他の収納ユニット１０１の引き出しを制限する。【選択図】図８
2018140051.tif 000002
【特許請求の範囲】
【請求項１】
装置本体と、
前記装置本体内に収容される収容位置から、少なくとも一部が前記装置本体外に引き出される引出位置へ横方向に引き出し可能であり、物品を収納する複数の収納ユニットと、
前記複数の収納ユニットのそれぞれの引き出しを許可する許可部と、
いずれかの前記収納ユニットの引き出しが前記許可部によって許可された場合に、他の前記収納ユニットの引き出しを制限する制限部とを含む、物品収納装置。
【請求項２】
前記複数の収納ユニットのそれぞれを前記収容位置においてロックするロック機構を含み、
前記許可部は、引き出しを許可した前記収納ユニットについての前記ロック機構によるロックを解除し、前記制限部は、前記他の収納ユニットについての前記ロック機構によるロックを継続する、請求項１に記載の物品収納装置。
【請求項３】
それぞれの前記収納ユニットを別々に前記収容位置と前記引出位置との間で移動させる移動機構を含み、
前記許可部は、引き出しを許可した前記収納ユニットを前記移動機構によって移動させ、前記制限部は、前記他の収納ユニットについての前記移動機構による移動を制限する、請求項１または２に記載の物品収納装置。
【請求項４】
いずれかの前記収納ユニットの引き出しが前記許可部によって許可された状態において、前記他の収納ユニットが前記制限部による制限を超えて引き出された場合に、警報を発する警報部を含む、請求項１〜３のいずれか一項に記載の物品収納装置。
【請求項５】
前記引出位置は、前記収納ユニットの重心が前記装置本体外に位置する第１引出位置と、前記第１引出位置よりも前記収容位置側にあり、前記収納ユニットの重心が前記装置本体内に位置する第２引出位置とを含み、
それぞれの前記収納ユニットの横方向の位置を検知する検知部を含み、
前記制限部は、前記他の前記収納ユニットについての前記第２引出位置よりも前記第１引出位置側への引き出しを禁止する、請求項１〜４のいずれか一項に記載の物品収納装置。
【請求項６】
前記収納ユニットには、物品を前記収納ユニット内にセットするためのセット部が設けられ、
前記第２引出位置の前記収納ユニットでは、前記セット部が前記装置本体外に露出される、請求項５に記載の物品収納装置。
【請求項７】
前記収納ユニット内の物品を前記装置本体外へ払い出す払出部を含む物品払出装置である、請求項１〜６のいずれか一項に記載の物品収納装置。
【発明の詳細な説明】
【技術分野】
【０００１】
この発明は、物品を収納する物品収納装置に関する。
【背景技術】
【０００２】
下記特許文献１には、遊技施設のフロアに据え置かれて景品の払い出しを行う景品払出装置が開示されている。景品払出装置は、キャビネットと、キャビネットの幅方向に並んだ状態でキャビネット内に収容される複数の景品払出ユニットとを含む。各景品払出ユニットは、キャビネット側に固定された上ユニットと、ハンドルが設けられた下ユニットとに分離可能である、キャビネットの扉を開いて下ユニットのハンドルを把持すれば、下ユニットだけをキャビネットから引き出すことができる。引き出された下ユニットには、複数の景品が積み重ねた状態で収納されたカセットをセットすることができる。
【先行技術文献】
【特許文献】
【０００３】
【特許文献１】特開２０１０−１６６９４６号公報
【発明の概要】
【発明が解決しようとする課題】
【０００４】
特許文献１の景品払出装置のように景品等の物品を収納した引出式の収納ユニットを備える物品収納装置において、収納ユニットが重量物である場合が想定される。収納ユニットが重量物である場合には、複数の収納ユニットを一度に引き出して物品収納装置のバランスが崩れることによって物品収納装置が転倒しないように対策を講じる必要がある。
【０００５】
この発明は、かかる背景のもとでなされたもので、複数の収納ユニットを一度に引き出すことによる転倒を防止できる物品収納装置を提供することを目的とする。
【課題を解決するための手段】
【０００６】
本発明は、装置本体と、前記装置本体内に収容される収容位置から、少なくとも一部が前記装置本体外に引き出される引出位置へ横方向に引き出し可能であり、物品を収納する複数の収納ユニットと、前記複数の収納ユニットのそれぞれの引き出しを許可する許可部と、いずれかの前記収納ユニットの引き出しが前記許可部によって許可された場合に、他の前記収納ユニットの引き出しを制限する制限部とを含む、物品収納装置である。
【０００７】
また、本発明は、前記複数の収納ユニットのそれぞれを前記収容位置においてロックするロック機構を含み、前記許可部は、引き出しを許可した前記収納ユニットについての前記ロック機構によるロックを解除し、前記制限部は、前記他の収納ユニットについての前記ロック機構によるロックを継続することを特徴とする。
【０００８】
また、本発明は、それぞれの前記収納ユニットを別々に前記収容位置と前記引出位置との間で移動させる移動機構を含み、前記許可部は、引き出しを許可した前記収納ユニットを前記移動機構によって移動させ、前記制限部は、前記他の収納ユニットについての前記移動機構による移動を制限することを特徴とする。
【０００９】
また、本発明は、いずれかの前記収納ユニットの引き出しが前記許可部によって許可された状態において、前記他の収納ユニットが前記制限部による制限を超えて引き出された場合に、警報を発する警報部を含むことを特徴とする。
【００１０】
また、本発明は、前記引出位置は、前記収納ユニットの重心が前記装置本体外に位置する第１引出位置と、前記第１引出位置よりも前記収容位置側にあり、前記収納ユニットの重心が前記装置本体内に位置する第２引出位置とを含み、それぞれの前記収納ユニットの横方向の位置を検知する検知部を含み、前記制限部は、前記他の前記収納ユニットについての前記第２引出位置よりも前記第１引出位置側への引き出しを禁止することを特徴とする。
【００１１】
また、本発明は、前記収納ユニットには、物品を前記収納ユニット内にセットするためのセット部が設けられ、前記第２引出位置の前記収納ユニットでは、前記セット部が前記装置本体外に露出されることを特徴とする。
【００１２】
また、本発明は、前記収納ユニット内の物品を前記装置本体外へ払い出す払出部を含む物品払出装置であることを特徴とする。
【発明の効果】
【００１３】
本発明によれば、物品収納装置では、複数の収納ユニットのうち、いずれかの収納ユニットの引き出しが許可されても、他の収納ユニットの引き出しは制限されるので、物品収納装置のバランスが崩れるまで複数の収納ユニットが一度に引き出されることを防止できる。これにより、物品収納装置では、複数の収納ユニットを一度に引き出してバランスが崩れることによる転倒を防止できる。
【００１４】
また、本発明によれば、引き出しが許可された収納ユニットについてのロック機構によるロックが解除されるので、この収納ユニットは、収容位置から引出位置まで引き出すことができる。この状態において、他の収納ユニットについてのロック機構によるロックは継続されるので、当該他の収納ユニットは、収容位置から引き出すことができない。これにより、物品収納装置では、複数の収納ユニットを一度に収容位置から引き出してバランスが崩れることによる転倒を防止できる。
【００１５】
また、本発明によれば、引き出しが許可された収納ユニットは、移動機構によって移動させられることより、収容位置から引出位置まで引き出される。この状態において、他の収納ユニットについての移動機構による移動が制限されるので、当該他の収納ユニットは、物品収納装置のバランスが崩れるまで引き出されない。これにより、物品収納装置では、複数の収納ユニットを一度に引き出してバランスが崩れることによる転倒を防止できる。
【００１６】
また、本発明によれば、いずれかの収納ユニットの引き出しが許可された状態において他の収納ユニットが制限を超えて引き出された場合には、警報が発せられるので、当該他の収納ユニットがさらに引き出されて物品収納装置のバランスが崩れることによる転倒を事前に防止できる。
【００１７】
また、本発明によれば、引き出しが制限された収納ユニットについては、その重心が物品収容装置の装置本体外に位置するまで引き出せないので、物品収納装置のバランスが崩れるまで複数の収納ユニットが一度に引き出されることを防止できる。これにより、物品収納装置では、複数の収納ユニットを一度に引き出してバランスが崩れることによる転倒を防止できる。
【００１８】
また、本発明によれば、収納ユニットでは、その重心が装置本体内に位置する第２引出位置まで引き出されればセット部が装置本体外に露出されてアクセス可能になるので、物品収納装置のバランスが崩れない状態において、このセット部から収納ユニット内に物品をセットできる。
【００１９】
また、本発明によれば、物品払出装置において、複数の収納ユニットを一度に引き出してバランスが崩れることによる転倒を防止できる。
【図面の簡単な説明】
【００２０】
【図１】図１は、通い箱の斜視図である。
【図２】図２は、本発明の一実施形態に係る物品取扱システムの模式的な斜視図である。
【図３】図３は、物品取扱システムを構成する物品収納装置における収納ユニットの模式的な斜視図である。
【図４】図４は、収納ユニットにおける収納部の模式的な斜視図である。
【図５】図５は、収納ユニットにおける繰出払出部の模式的な斜視図である。
【図６Ａ】図６Ａは、物品の補充処理が可能な状態における収納ユニットの内部の模式的な平面図である。
【図６Ｂ】図６Ｂは、補充処理が可能な状態における収納ユニットの内部の模式的な右側面図である。
【図７】図７は、物品収納装置の電気的構成を示すブロック図である。
【図８】図８は、物品収納装置の模式的な縦断面右側面図である。
【図９Ａ】図９Ａは、物品の識別計数処理が可能な状態における物品収納装置の内部の模式的な右側面図である。
【図９Ｂ】図９Ｂは、識別計数処理が可能な状態における収納ユニットの内部の模式的な平面図である。
【図１０】図１０は、収納ユニットにおける識別部を示す模式的な右側面図である。
【図１１】図１１は、識別部が物品を識別したときの出力結果を示すグラフである。
【図１２】図１２は、変形例に係る識別部および計数部と物品とを示す模式的な側面図である。
【図１３Ａ】図１３Ａは、物品の繰出払出処理が可能な状態における物品収納装置の内部の模式的な右側面図である。
【図１３Ｂ】図１３Ｂは、繰出払出処理が可能な状態における収納ユニットの内部の模式的な平面図である。
【図１４Ａ】図１４Ａは、繰出払出部の繰出ユニットにおける繰出部を右側から見た模式図である。
【図１４Ｂ】図１４Ｂは、繰出部を右側から見た模式図である。
【図１４Ｃ】図１４Ｃは、繰出部を右側から見た模式図である。
【図１５】図１５は、物品収納装置において実施される処理の手順を示すフローチャートである。
【発明を実施するための形態】
【００２１】
以下には、図面を参照して、この発明の実施形態について具体的に説明する。図１は、この実施形態で用いられる通い箱１の斜視図である。通い箱１は、所定方向（図１では左右方向）に長手のボックス状に形成されていて、例えば樹脂製である。通い箱１は、対向配置された一対の側壁２と、一対の側壁２間に架設された少なくとも２つ（図１では６つ）の区画壁３と、通い箱１の底をなす１つの閉塞壁４とを一体的に含む。
【００２２】
一対の側壁２は、通い箱１の長手方向Ｌにおいて長手の略長方形の板状に形成されていて、それぞれの板厚方向に沿って対向するように平行に配置されている。一対の側壁２の対向方向は、通い箱１において長手方向Ｌに直交する短手方向Ｓである。また、通い箱１の深さ方向Ｄは、長手方向Ｌおよび短手方向Ｓの両方に直交している。
【００２３】
各区画壁３は、長手方向Ｌに一致した板厚方向を有する略矩形の板状に形成されている。区画壁３は、一対の側壁２において長手方向Ｌにおける一端縁間と他端縁間とに１つずつ架設され、残りの区画壁３は、長手方向Ｌに等間隔で並んだ状態で一対の側壁２の途中部間に架設されている。そのため、通い箱１には、大きさの等しい略直方体状の５つの収容空間５が、長手方向Ｌに等間隔で並んで形成されている。
【００２４】
閉塞壁４は、深さ方向Ｄに一致した板厚方向を有し、長手方向Ｌにおいて長手の略長方形の板状に形成されている。閉塞壁４は、深さ方向Ｄにおける一方側（図１では下側）から各側壁２および各区画壁３Ａに対して接続されていて、各収容空間５を当該一方側から塞いでいる。各収容空間５において深さ方向Ｄにおける他方側（図１では上側）の端部は、略矩形状の出入口６として、当該他方側へ開放されている。
【００２５】
通い箱１は、出入口６とは別に設けられた開口部７を含む。開口部７は、長手方向Ｌにおいて各収容空間５と同じ位置に一対ずつ、この実施形態では５対設けられている。つまり、開口部７は、短手方向Ｓにおける通い箱１の両側において、５つずつ長手方向Ｌに等間隔で並んで設けられている。各対における２つの開口部７は、長手方向Ｌで同じ位置にあって、短手方向Ｓにおける通い箱１の中心を基準として対称になるように構成されている。各開口部７は、収容空間５を外部に露出させるスリット状であり、短手方向Ｓにおける閉塞壁４の端部を切り欠きつつ、短手方向Ｓにおいて当該端部と同じ側にある側壁２を切り欠いて、当該側壁２において深さ方向Ｄに沿って出入口６の手前まで直線状に延びている。なお、開口部７の形状は、任意に変更できる。
【００２６】
通い箱１は、物品Ｐを収容することができる。物品Ｐの一例は、パチンコ店等の遊技施設において遊技客によって獲得されたパチンコ玉等の遊技媒体と交換されるカード状の賞品であって、例えば数ｍｍ程度の厚さを有する。この実施形態では、物品Ｐの表面の色が、物品Ｐの種類毎に異なっている。物品Ｐは、通い箱１に収容された状態で市場に流通する。賞品である場合の物品Ｐは、遊技施設と、遊技客によって獲得された物品Ｐを現金と交換する交換所と、物品Ｐを遊技施設に卸す問屋と、交換所から買い取られた物品Ｐをシャッフルしてから各問屋に分配する互換所とを経由するように、通い箱１に収容された状態で流通する。
【００２７】
物品Ｐを収容して流通しているときの通い箱１の姿勢は、図１に示すように各出入口６が上を向いた基本姿勢である。物品Ｐは、出入口６を介して各収容空間５に収容される。各収容空間５の大きさが等しいので、物品Ｐは、所定数ずつ（この実施形態では２０枚ずつ）、各収容空間５に収容される。複数の物品Ｐは、それぞれの板厚方向が短手方向Ｓと一致して閉塞壁４から起立した姿勢で、各収容空間５に積層状態で収容され、各物品Ｐでは、出入口６側の部分が出入口６からはみ出ている。また、前述した所定数の物品Ｐが収容された収容空間５（図１における右端の収容空間５を参照）では、短手方向Ｓの両端に位置する物品Ｐの一部が、短手方向Ｓにおける同じ側の開口部７から露出されている。
【００２８】
次に、例えば遊技施設に設置されて物品Ｐを取り扱う物品取扱システム８について説明する。図２は、物品取扱システム８の模式的な斜視図である。物品取扱システム８は、物品管理装置９と、物品収納装置１０とを含む。物品管理装置９は、前述したカード状の賞品である物品Ｐや、菓子等の一般賞品の在庫等を管理するＰＯＳ端末であって、遊技施設における受付カウンタＣ上に設置される。
【００２９】
物品収納装置１０は、物品Ｐを収納する装置であり、受付カウンタＣのフロアにおいて物品管理装置９に隣接して配置されている。物品収納装置１０は、内部の物品Ｐを払い出す機能も有する物品払出装置であり、ＬＡＮ（図示せず）等を介して物品管理装置９に対して通信可能に接続されている。そのため、遊技施設において受付カウンタＣを担当する係員（以下では使用者という）が、物品管理装置９に設けられたキーボードやタッチパネル等の操作部９Ａを操作することによって、物品収納装置１０に対して物品Ｐの払い出しを指示すると、物品収納装置１０は、指示に応じた種類および個数の物品Ｐを払い出す。また、物品収納装置１０における種類毎の物品Ｐの在庫に関する情報が物品収納装置１０から物品管理装置９に入力されるので、物品管理装置９は、物品Ｐの在庫を更新する。
【００３０】
また、遊技客によって遊技媒体と一般賞品との交換が依頼された使用者は、指定された一般賞品を操作部９Ａの操作によって選択してから、この一般賞品を遊技客に手渡す。物品管理装置９は、操作部９Ａの操作に応じて、この一般賞品の在庫を更新する。なお、図２では、１台の物品管理装置９と１台の物品収納装置１０が接続されることによって物品取扱システム８を構成しているが、物品取扱システム８では、複数台の物品管理装置９が１台の物品収納装置１０に接続されてもよいし、逆に、複数台の物品収納装置１０が１台の物品管理装置９に接続されてもよい。
【００３１】
以下では、物品収納装置１０について詳しく説明する。なお、図２では、受付カウンタＣの使用者から見たときにおける物品管理装置９および物品収納装置１０が図示されている。また、図２の紙面の左右方向は、物品収納装置１０の左右方向Ｘと一致し、図２の紙面に略直交する方向は、物品収納装置１０の前後方向Ｙと一致し、図２の紙面の上下方向は、物品収納装置１０の上下方向Ｚと一致している。左右方向Ｘおよび前後方向Ｙは、横方向に含まれる。左右方向Ｘは、左側Ｘ１と右側Ｘ２とを含み、前後方向Ｙは、図２の紙面の手前側に一致した前側Ｙ１と、図２の紙面の奥側に一致した後側Ｙ２とを含み、上下方向Ｚは、上側Ｚ１と下側Ｚ２とを含む。
【００３２】
物品収納装置１０は、その外殻をなすボックス状に形成された装置本体１００と、装置本体１００に収容される複数（ここでは３つ）の収納ユニット１０１とを含む。装置本体１００には、その前面の全域に亘る開口１００Ａが形成されている。装置本体１００の天面には、その略前半分を占める水平面である払出面１００Ｂと、払出面１００Ｂの後側Ｙ２において左右方向Ｘに延び、払出面１００Ｂよりも一段高い段部１００Ｃとが設けられている。払出面１００Ｂにおける後寄りの領域には、左右方向Ｘに長手の払出口１００Ｄが形成されている。払出口１００Ｄは、収納ユニット１０１と同数存在し、左右方向Ｘに並んで配置されている。
【００３３】
物品収納装置１０は、払出口１００Ｄを開閉するシャッタ１０２と、警報部の一例としての表示操作部１０３とを含む。シャッタ１０２は、左右方向Ｘに長手の板状に形成され、払出口１００Ｄと同数存在する。各シャッタ１０２は、対応する払出口１００Ｄを閉じた閉位置（図２参照）と、段部１００Ｃ内に後退して払出口１００Ｄを開いた開位置との間で前後方向Ｙにスライド可能である。各シャッタ１０２は、モータ等の駆動部（図示せず）の駆動力によって開閉される。表示操作部１０３は、例えばタッチパネルによって構成され、段部１００Ｃに固定される。表示操作部１０３には、使用者向けの情報が表示される。使用者は、表示操作部１０３を操作することによって、物品収納装置１０に指示を与えることができる。
【００３４】
収納ユニット１０１は、物品Ｐを通い箱１ごと収納するものである。複数の収納ユニット１０１は、左右方向Ｘに並んでいる。図２に示すように装置本体１００内に目一杯収容された状態における収納ユニット１０１は、前後方向Ｙにおける収容位置にある。収容位置にある収納ユニット１０１の前面１０１Ａは、装置本体１００の前面の開口１００Ａと前後方向Ｙにおいてほぼ同じ位置にある。図２に示すように全ての収納ユニット１０１が収容位置にある場合には、これらの前面１０１Ａが、面一となって開口１００Ａを塞いだ状態にて、装置本体１００から前側Ｙ１に露出されている。収容位置にある各収納ユニット１０１の真上には、装置本体１００の払出面１００Ｂにおけるいずれか１つの払出口１００Ｄが位置している。
【００３５】
図３は、１つの収納ユニット１０１を前側Ｙ１から見た模式的な斜視図である。各収納ユニット１０１は、収納部１１と繰出払出部１２とを含む。収納部１１は、単数でもよいが、この実施形態では、前後方向Ｙに並んで２つ存在し、これらの収納部１１の間に繰出払出部１２が配置されている。２つの収納部１１のうち、前側Ｙ１のものを前側収納部１１Ａといい、後側Ｙ２のものを後側収納部１１Ｂというがある。図３では、各収納部１１と繰出払出部１２との境界が１点鎖線で図示されている。収納部１１と繰出払出部１２とは一体化されていてもよいし、別々に存在して組み合わされることによって収納ユニット１０１を構成してもよい。
【００３６】
各収納部１１は、その外殻をなすボックス状に形成された本体１３を含む。本体１３の上面には、略矩形状の装填口１３Ａと、装填口１３Ａを開閉する略矩形板状の蓋１４とが設けられている。蓋１４は、前後方向Ｙにおいて繰出払出部１２に最も近い端部に設けられたヒンジ１５を介して本体１３に連結されていて、ヒンジ１５を中心として上下に回動することによって開閉される。前側収納部１１Ａの本体１３の前面が、収納ユニット１０１における前述した前面１０１Ａである。
【００３７】
繰出払出部１２は、その外殻をなすボックス状に形成された本体１６を含む。本体１６の上面には、払出口１６Ａが１つ形成されている。払出口１６Ａは、装置本体１００の天面における各払出口１００Ｄ（図２参照）とほぼ同じ大きさおよび形状を有し、本体１６の内部空間１６Ｂを上側Ｚ１に露出させている。前述した収容位置にある収納ユニット１０１では、払出口１６Ａが、左右方向Ｘにおいて同じ位置ある１つの払出口１００Ｄの真下に配置されている。
【００３８】
図４を参照して収納部１１について詳説する。収納部１１の本体１３において左右方向Ｘにおける少なくともいずれかの側面には、メンテナンスの際に本体１３の内部にアクセスするための開口部１３Ｂが形成されている。本体１３において繰出払出部１２に対向する側面（前側収納部１１Ａの場合は後面であり、後側収納部１１Ｂの場合は前面）は、開放されている。本体１３の内部には、左右一対の搬送体１８と、複数（ここでは６つ）のセット部１９とが設けられている。
【００３９】
各搬送体１８は、無端状のチェーンまたはベルト（ここではチェーン）によって構成されており、本体１３の左右の側壁の近傍に１つずつ配置され、左右方向Ｘから見て例えば略矩形の環状をなしている。左右一対の搬送体１８は、モータ（図示せず）等の駆動部の駆動力を受けることによって、左右方向Ｘから見て時計回りの方向および反時計回りの方向のそれぞれへ向けて、同期したタイミングで周回移動する。
【００４０】
各セット部１９は、左右方向Ｘに長手のトレイ状に形成されている。図４において前側上端に位置する上向き姿勢のセット部１９を参照して、セット部１９は、前後一対の側壁１９Ａと、これらの側壁１９Ａの左端縁間および右端縁間に１つずつ架設された左右一対の側壁１９Ｂと、これらの側壁１９Ａおよび側壁１９Ｂに対して下側Ｚ２から接続された底壁１９Ｃとを含む。上向き姿勢のセット部１９には、その上面を全域に亘って開放した出入口１９Ｄと、各側壁１９Ａに形成されたスリット状の開口部１９Ｅとが形成されている。各開口部１９Ｅは、通い箱１の各側壁２における開口部７（図１参照）と同数（ここでは５つ）ずつ各側壁１９Ｂに形成され、左右方向Ｘに等間隔で並んで配置されている。上向き姿勢のセット部１９において、各開口部１９Ｅでは、上端部は、出入口１９Ｄまで到達していないが、下端部は、底壁１９Ｃの一部を切り取っている。
【００４１】
各セット部１９において一対の側壁１９Ａと一対の側壁１９Ｂと底壁１９Ｃとによって囲まれて出入口１９Ｄから露出された内部空間は、左右方向Ｘに長手となった通い箱１をちょうど収容できる大きさを有する。上向き姿勢のセット部１９の各側壁１９Ｂにおいてセット部１９の内部空間を臨む内面とは反対側の外面の上端部には、左右方向Ｘの外側へ突出した３つの被ガイド部２０が前後方向Ｙに等間隔で並んで設けられている。各被ガイド部２０は、例えば自転自在なベアリングで構成されている。
【００４２】
これらのセット部１９は、左右一対の搬送体１８の周回方向Ｒに沿って環状に等間隔で並んで配置された状態で、これらの搬送体１８の間に架設され、各側壁１９Ａおよび各側壁１９Ｂの少なくともいずれかにおいて搬送体１８に連結されている。そのため、左右の搬送体１８が周回移動すると、これらのセット部１９は、隣り合うセット部１９の間隔を一定に維持した状態で、搬送体１８とともに周回移動する。また、各セット部１９は、搬送体１８との連結部分において、左右方向Ｘに延びる回動軸線まわりに回動自在である。そのため、各セット部１９は、原則として、上向き姿勢を維持するように回動しながら、ゴンドラのように周回移動する。
【００４３】
図５を参照して繰出払出部１２について詳説する。繰出払出部１２の本体１６は、左右一対の側板２５と、これらの側板２５の下端縁間に架設された底板２６と、各側板２５によって直接的または間接的に支持された繰出ユニット２７および払出ユニット２８とを含む。各側板２５および底板２６は、本体１６の外壁を構成してもよい。一対の側板２５の上端縁間に、本体１６の上面における払出口１６Ａが区画されている。
【００４４】
繰出ユニット２７は、左右一対設けられている。左右２つの繰出ユニット２７のうち、左側Ｘ１のものは、前側収納部１１Ａ用の繰出ユニット２７Ａであり、右側Ｘ２のものは、後側収納部１１Ｂ用の繰出ユニット２７Ｂである。これらの繰出ユニット２７は、左右の側板２５によって挟まれた本体１６の内部空間１６Ｂにおける略下半分の領域に配置されている。各繰出ユニット２７は、本体１６の例えば側板２５側に連結された支持部２９と、支持部２９によって支持された繰出部３０とを含む。支持部２９は、図５では板状に簡略化して図示されているが、支持部２９の形状は、ボックス形状等のように任意に設定できる。
【００４５】
繰出部３０は、各繰出ユニット２７において、単数または複数存在し、この実施形態では左右に並んで２つ存在する。各繰出部３０は、左右方向Ｘから見て支持部２９側へ突出した略三角形の環状をなす無端状の繰出ベルト３１と、繰出ベルト３１の内側において略三角形の各頂点部分に１つずつ配置されたローラ３２と、例えばウレタンで構成された外周面を有する繰出ローラ３３と、繰出ベルト３１の外周面に設けられた繰出部材３４とを含む。繰出ベルト３１は、少なくもいずれかのローラ３２がモータ等の駆動部（図示せず）により駆動回転されることによって、周回移動する。繰出部材３４は、繰出ベルト３１の外周面から突出した爪状に形成され、各繰出ベルト３１において、複数の繰出部材３４が繰出ベルト３１の周回方向に沿って等間隔で設けられている。
【００４６】
図５に示す待機位置にある各繰出ユニット２７では、支持部２９が上下方向Ｚに沿って配置され、各繰出部３０において支持部２９側のローラ３２とは別の２つのローラ３２が上下方向Ｚに並び、繰出ベルト３１においてこれら２つのローラ３２に掛かって平坦に延びる平坦部分３１Ａが上下方向Ｚに沿っている。待機位置にあるときの繰出ユニット２７Ａでは、平坦部分３１Ａが支持部２９よりも前側Ｙ１に位置し、待機位置にあるときの繰出ユニット２７Ｂでは、平坦部分３１Ａが支持部２９よりも後側Ｙ２に位置している。繰出ローラ３３は、平坦部分３１Ａの一端部（図５では上端部）に対向していて、モータ等の駆動部（図示せず）の駆動力を受けて駆動回転される。なお、各繰出部３０は、各ローラ３２おとび繰出ローラ３３を回転可能に支持したフレーム（図示せず）を含む。
【００４７】
各繰出ユニット２７は、モータ等の駆動部（図示せず）の駆動力を受けることによって、支持部２９の上端部を回動中心として、前述した待機位置と繰出位置との間で前後方向Ｙに回動することができる。繰出位置にあるときの繰出ユニット２７Ａでは、各繰出部３０が本体１６の内部空間１６Ｂから前側Ｙ１へはみ出して、各繰出部３０における繰出ベルト３１の平坦部分３１Ａが前後方向Ｙに沿って水平になっている。繰出位置にあるときの繰出ユニット２７Ｂでは、各繰出部３０が内部空間１６Ｂから後側Ｙ２へはみ出して、各繰出部３０における繰出ベルト３１の平坦部分３１Ａが前後方向Ｙに沿って水平になっている。繰出位置にあるときの各繰出ユニット２７では、繰出部３０が、モータ等の駆動部（図示せず）の駆動力を受けることによって、平坦部分３１Ａが水平になった姿勢を維持しながら、左右方向Ｘにスライドすることができる。
【００４８】
払出ユニット２８は、本体１６の内部空間１６Ｂにおける略上半分の領域に配置されていて、枠部４０と、複数の払出部４１とを含む。枠部４０は、左右方向Ｘに延びて左右の側板２５間に架設されたベース部４０Ａと、ベース部４０Ａから立ち上がった複数の板状の仕切部４０Ｂとを含む。この実施形態では、仕切部４０Ｂは、６つ存在し、左右方向Ｘに等間隔で並んでいる。隣り合う仕切部４０Ｂの間には、ベース部４０Ａの上面によって下側Ｚ２から塞がれた縦長の繰出空間４０Ｃが区画されている。繰出空間４０Ｃは、通い箱１の収容空間５と同数（ここでは５つ）存在し、左右方向Ｘに等間隔で並んでいる。つまり、仕切部４０Ｂは、通い箱１において物品Ｐの払出位置として区分けされた５つの収容空間５に対応して設けられている。各繰出空間４０Ｃは、本体１６の上面の払出口１６Ａの真下に位置している。
【００４９】
枠部４０は、左右の側板２５によって支持されていて、モータ等の駆動部（図示せず）の駆動力を受けることによって、本体１６の内部空間１６Ｂにおいて、実線で示す待機位置と、破線で示す上限位置との間で昇降する。上限位置の枠部４０は、待機位置にあるときよりも上側Ｚ１に位置し、上限位置の枠部４０では、各仕切部４０Ｂの上端が、本体１６の上面の払出口１６Ａよりも下側Ｚ２に位置している。枠部４０は、バネ等の弾性部材（図示せず）によって側板２５につながれていて、この弾性部材を伸ばしながら待機位置から上限位置まで上昇する。枠部４０が上限位置に到達すると、この弾性部材が伸びきっているので、枠部４０は、上限位置よりも上側Ｚ１へ移動できない。
【００５０】
払出部４１は、上下方向Ｚに一致した板厚方向を有する略矩形の板状であり、各繰出空間４０Ｃに１つずつ配置されている。各払出部４１における左右の両端縁には、左右方向Ｘにおける内側へ窪んだ窪み４１Ａが１つずつ形成されている（右端の払出部４１を参照）。払出ユニット２８は、全ての払出部４１を一括して保持する保持部（図示せず）を含む。全ての払出部４１は、モータ等の駆動部（図示せず）の駆動力を受けることによって、繰出空間４０Ｃにおいて、実線で示す待機位置と、破線で示す払出位置との間で、保持部と一体となって昇降する。待機位置の払出部４１は、繰出空間４０Ｃの下端に位置してベース部４０Ａの上面に載っている。払出位置の払出部４１は、繰出空間４０Ｃの上端に位置している。点線で示すように、枠部４０が上限位置にあり、かつ、払出部４１が払出位置にあるときの払出部４１の上面は、払出口１６Ａから上側Ｚ１へ露出され、本体１６の上面から数ｍｍ程度浮いている。
【００５１】
各払出部４１の上面には、板厚方向が上下方向Ｚに一致した水平の姿勢の物品Ｐを載せることができる。各払出部４１には、各払出部４１上の物品Ｐの残留を検知するための残留検知センサ４２が設けられている（待機位置の各払出部４１を参照）。残留検知センサ４２として、払出部４１の上面から露出されて上下に移動可能なプッシャ（図示せず）と、プッシャの上下の動きを検知するフォトインタラプタ（図示せず）とを含む構成を用いてもよい。この場合、物品Ｐが払出部４１上に載せられると、物品Ｐの重さによってプッシャが下がるので、残留検知センサ４２は、フォトインタラプタによりプッシャの下降を検知することによって、払出部４１上の物品Ｐの残留を検知する。図示しないバネ等の付勢力によってプッシャが元の位置まで上昇すると、残留検知センサ４２は、払出部４１上に物品Ｐが残留していないことを検知する。
【００５２】
図６Ａを参照して、各収納部１１の内部において前後方向Ｙにおける外側の端部（前側収納部１１Ａの場合は前端部であり、後側収納部１１Ｂの場合は後端部）には、識別計数部５１が配置されている。識別計数部５１は、左右方向Ｘに延びるホルダ５２と、ホルダ５２において繰出払出部１２を臨む側面（前側収納部１１Ａの場合は後面であり、後側収納部１１Ｂの場合は前面）に設けられた識別部５３および計数部５４とを含む。左右方向Ｘに隣り合った識別部５３および計数部５４が１つの組を構成し、各識別計数部５１では、この組が、左右方向Ｘに等間隔で５組並んでいる。識別計数部５１は、収納部１１の本体１３によって支持されており、ステッピングモータ等の駆動部（図示せず）の駆動力を受けて昇降する。
【００５３】
識別部５３の一例は、発光部（図示せず）および受光部（図示せず）を含んだカラーセンサである。この場合、発光部が、被検知物である物品Ｐに対して光を照射し、その反射光を受光部が受光する。識別部５３は、この反射光をＲＧＢ値に変換して分析することによって物品Ｐの表面の色を検知し、この検知結果に基づいて物品Ｐの真偽や種類を識別する。なお、識別情報を記憶したＩＣチップが物品Ｐに内蔵されていて、識別部５３は、非接触でＩＣチップから識別情報を読み取ることによって、物品Ｐの真偽や種類を識別してもよい。
【００５４】
計数部５４の一例は、発光部（図示せず）および受光部（図示せず）を含んだ光学式の反射型センサである。この場合、発光部が、物品Ｐに対して光を照射し、その反射光を受光部が受光する。計数部５４は、識別計数部５１の昇降に伴い、上下方向Ｚに積層された物品Ｐの端部の凸形状を、発光部からの光によってなぞる。これによって、連続する複数の凸形状の輪郭にほぼ一致する波形データが得られるので、計数部５４は、この波形データにおける凸形状の数を数えることによって、物品Ｐを計数することができる。
【００５５】
図６Ｂを参照して、各収納部１１の本体１３の左右の側壁のそれぞれにおいて本体１３の内部に臨む内面には、前後一対のガイド部材５５が設けられている。これらのガイド部材５５は、左右方向Ｘから見たときに環状の搬送体１８の内側に収まるように配置されている。前後一対のガイド部材５５のうち、繰出払出部１２から遠いものを第１ガイド部材５５Ａといい、繰出払出部１２に近いものを第２ガイド部材５５Ｂということがある。各ガイド部材５５は、上下方向Ｚに沿って平行に延びる一対のレール５６を含む。
【００５６】
第１ガイド部材５５Ａの一対のレール５６のうち、第２ガイド部材５５Ｂに近いレール５６Ａの真上には、レバー状の第１変更部材５７が設けられている。第１変更部材５７は、本体１３によって支持されており、ソレノイド等の駆動部（図示せず）の動作に応じて、第１変更部材５７の下端部を回動中心として、実線で示す待機位置と、破線で示す傾斜位置との間で前後に回動できる。待機位置にある第１変更部材５７は、上下方向Ｚに沿ってレール５６Ａと同一直線上に配置され、傾斜位置にある第１変更部材５７は、第２ガイド部材５５Ｂ側へ傾斜している。
【００５７】
第２ガイド部材５５Ｂの一対のレール５６のうち、第１ガイド部材５５Ａに近いレール５６Ｂの真上には、レバー状の第２変更部材５８が設けられている。第２変更部材５８は、本体１３によって支持されており、ソレノイド等の駆動部（図示せず）の動作に応じて、第２変更部材５８の下端部を回動中心として、実線で示す待機位置と、破線で示す傾斜位置との間で前後に回動できる。待機位置にある第２変更部材５８は、上下方向Ｚに沿ってレール５６Ｂと同一直線上に配置され、傾斜位置にある第２変更部材５８は、第１ガイド部材５５Ａ側へ傾斜している。
【００５８】
通常の第１変更部材５７および第２変更部材５８のそれぞれは、待機位置にある。この場合において、各収納部１１において周回移動するセット部１９が、搬送体１８において垂直に延びる垂直部分１８Ａに沿って昇降すると、当該セット部１９の左右両側にそれぞれ設けられた３つの被ガイド部２０のうちの真ん中の被ガイド部２０だけが、第１ガイド部材５５Ａまたは第２ガイド部材５５Ｂにおける一対のレール５６の間を通過する。この場合、昇降しているセット部１９は、搬送体１８の水平部分１８Ｂに沿って前後に移動している他のセット部１９と同様に、上向き姿勢を維持している。後述するように、各セット部１９には、物品Ｐを収容した通い箱１がセットされる。なお、第１変更部材５７および第２変更部材５８のそれぞれは、前述したソレノイド等の駆動部によって回動するのでなく、搬送体１８の周回移動に連動して回動してもよい。例えば、図６Ｂでの右側面視を基準として、搬送体１８が第１方向（前側収納部１１Ａでは反時計回りであり、後側収納部１１Ｂでは時計回り）に周回移動するときには、第１変更部材５７は、搬送体１８からの力を受けることによって待機位置から傾斜位置まで自動で回動するものの、第２変更部材５８は、搬送体１８からの力が伝わらないことにより、待機位置のままである。一方、搬送体１８が第１方向とは逆の第２方向（前側収納部１１Ａでは時計回りであり、後側収納部１１Ｂでは反時計回り）に周回移動するときには、第２変更部材５８は、搬送体１８からの力を受けることによって待機位置から傾斜位置まで自動で回動するものの、第１変更部材５７は、搬送体１８からの力が伝わらないことにより、待機位置のままである。
【００５９】
図７は、物品収納装置１０の電気的構成を示すブロック図である。物品収納装置１０は、許可部、制限部および警報部の一例としての制御部７５を含む。制御部７５は、ＣＰＵやＲＯＭやＲＡＭ等で構成され、タイマ等を内蔵し、装置本体１００に設けられている。制御部７５には、装置本体１００のシャッタ１０２および表示操作部１０３のそれぞれに関連した電気部品（例えば、前述した駆動部やセンサ等）が電気的に接続されている。また、制御部７５には、各収納ユニット１０１の各収納部１１における搬送体１８、識別計数部５１、第１変更部材５７および第２変更部材５８、ならびに、各収納ユニット１０１の繰出払出部１２における繰出ユニット２７および払出ユニット２８のそれぞれに関連した電気部品が電気的に接続されている。制御部７５は、これらの電気部品の動作を制御することによって、物品Ｐを補充する補充処理と、内部の物品Ｐを識別および計数する識別計数処理と、内部の物品Ｐを繰り出して機外に払い出す繰出払出処理とを実行する。これらの処理に関連して、制御部７５は、表示操作部１０３に必要な情報を表示したり、使用者による表示操作部１０３の操作に応じて使用者からの指示を受け付けたりする。
【００６０】
物品収納装置１０は、記憶部７７と、ロック機構７８と、移動機構７９と、検知部８０とをさらに含む。記憶部７７は、制御部７５に対して電気的に接続されている。記憶部７７は、各セット部１９にセットされて識別計数処理を受けた通い箱１内の物品Ｐの種類および収容数等を記憶している。
【００６１】
ロック機構７８、移動機構７９および検知部８０に関連して、図８を参照して、各収納ユニット１０１は、前述した収容位置（実線で示した収納ユニット１０１を参照）から、前側Ｙ１の引出位置へ前後方向Ｙに沿って引き出し可能である。各収納ユニット１０１の前面１０１Ａには、収納ユニット１０１を引き出したい使用者によって把持される取っ手８１が設けられている。取っ手８１は、その上端部における回動軸８２まわりに前後に回動可能なレバーであり、通常の待機位置では、図８に示すように上下方向Ｚに沿っている。各収納ユニット１０１には、取っ手８１が待機位置から前後のどちらに回動されたのかを検知するセンサ８３が内蔵され、このセンサ８３は、制御部７５に対して電気的に接続されている（図７参照）。引出位置にある収納ユニット１０１では、少なくとも一部が装置本体１００外（詳しくは装置本体１００よりも前側Ｙ１）に引き出される。引出位置は、１点鎖線で示す第１引出位置と、２点鎖線および破線で示す第２引出位置とを含む。なお、収容位置から引出位置に引き出された収納ユニット１０１は、遊技施設において物品収納装置１０が設置される設置面であるフロアから浮いた状態にある。
【００６２】
第１引出位置は、１点鎖線で指し示すように収納ユニット１０１の重心Ｇが装置本体１００外に位置するときにおける前後方向Ｙの収納ユニット１０１の位置である。図８に示すように前側Ｙ１へ目一杯引き出されたときの収納ユニット１０１の位置（最大引出位置という）は、第１引出位置に含まれる。第２引出位置は、２点鎖線や破線で指し示すように重心Ｇが装置本体１００内に位置するときにおける前後方向Ｙの収納ユニット１０１の位置であって、第１引出位置よりも収容位置側にある。
【００６３】
第２引出位置は、破線で示す引出開始位置と、２点鎖線で示す引出途中位置とを含む。引出開始位置は、収容位置から数ｃｍ程度僅かに引き出されたときにおける収納ユニット１０１の位置である。引出途中位置は、２点鎖線で指し示すように重心Ｇが装置本体１００内にぎりぎり残る程度まで引出開始位置からさらに引き出されたときにおける収納ユニット１０１の位置であり、収容位置および最大引出位置のそれぞれからほぼ等しい距離を隔てた位置である。
【００６４】
ロック機構７８は、例えば電磁ロック機構によって構成されている。ロック機構７８は、装置本体１００の後壁１００Ｅの前面において装置本体１００内に臨んで取り付けられた鉤状のロック部材８５と、ロック部材８５を、その後端部において左右方向Ｘに延びる回動軸８６まわりに回動させるソレノイド等の駆動部（図示せず）とを含む。ロック部材８５および駆動部は、装置本体１００内において各収納ユニット１０１よりも後側Ｙ２に１組ずつ配置されている。ロック部材８５は、駆動部の駆動により、実線で示すロック位置と、破線で示す解除位置との間で上下に回動する。各収納ユニット１０１の後面１０１Ｂには、左右方向Ｘに延びる柱状の位置決め部９７が固定されている。
【００６５】
収納ユニット１０１が収容位置にある状態において、この収納ユニット１０１の後側Ｙ２のロック部材８５がロック位置まで回動すると、ロック部材８５が、この収納ユニット１０１の位置決め部９７に例えば上側Ｚ１から引っかかることによって係合する。これにより、この収納ユニット１０１は、収容位置においてロックされる。一方、位置決め部９７に係合したロック部材８５は、解除位置まで上下に回動することによって位置決め部９７から外れるので、この位置決め部９７を有する収納ユニット１０１のロックが解除される。ロック機構７８は、各収納ユニット１０１に対応するロック部材８５を別々に回動させることによって、複数の収納ユニット１０１のそれぞれを別々に収容位置においてロックしたり、各収納ユニット１０１のロックを別々に解除したりすることができる。
【００６６】
移動機構７９は、収納ユニット１０１が載せられるスライド部８７と、駆動部８８とを含む。スライド部８７および駆動部８８の組は、収納ユニット１０１と同数存在する。各スライド部８７は、例えば左右方向Ｘの両端部が下側Ｚ２に折り曲げられた板状に形成され、対応する収納ユニット１０１の下部に固定される（図２参照）。各スライド部８７には、その前後方向Ｙにおけるほぼ全域に亘ってラックギア８９が形成されている。また、各スライド部８７において左右方向Ｘでラックギア８９から外れた位置には、下側Ｚ２へ突出した例えば棒状の被検知部９０が１つ設けられている。
【００６７】
駆動部８８は、例えばトルクリミッタ（図示せず）が組み合わされたＤＣモータ等によって構成され、装置本体１００の底壁１００Ｆの上面において開口１００Ａ側の領域に固定されている。駆動部８８は、左右方向Ｘに延びる出力軸（図示せず）と、この出力軸（図示せず）に固定されてラックギア８９に下側Ｚ２から噛み合ったピニオンギア９１とを含む。駆動部８８が駆動されると、ピニオンギア９１が、出力軸（図示せず）まわりに回転する。これにより、このピニオンギア９１に噛み合ったラックギア８９を有するスライド部８７が、その上の収納ユニット１０１を伴って収容位置と引出位置との間で前後方向Ｙにスライドする。移動機構７９は、各駆動部８８を別々に駆動させることによって、それぞれの収納ユニット１０１を別々に収容位置と引出位置との間で移動させることができる。
【００６８】
制御部７５は、移動機構７９の動作を制御する。具体的には、制御部７５は、移動機構７９の各駆動部８８に流れる電流をチョッパ制御することによって、各スライド部８７を移動させるとともに、各スライド部８７の加減速を調整する。つまり、制御部７５は、移動機構７９の動作を制御することによって、各スライド部８７に載った収納ユニット１０１を、収容位置と最大引出位置との間において任意の速度で移動させることができる。
【００６９】
検知部８０は、例えば遮光センサによって構成されたセンサ９２を含む。センサ９２は、収容位置にあるときの収納ユニット１０１の被検知部９０（実線で示した被検知部９０を参照）を検知するセンサ９２Ａと、引出開始位置にあるときの収納ユニット１０１の被検知部９０（破線で示した被検知部９０を参照）を検知するセンサ９２Ｂとを含む。また、センサ９２は、引出途中位置にあるときの収納ユニット１０１の被検知部９０（２点鎖線で示した被検知部９０を参照）を検知するセンサ９２Ｃと、最大引出位置にあるときの収納ユニット１０１の被検知部９０（１点鎖線で示した被検知部９０を参照）を検知するセンサ９２Ｄとをさらに含む。センサ９２Ａ、９２Ｂ、９２Ｃおよび９２Ｄの組は、収納ユニット１０１毎に１組ずつ設けられている。各組におけるセンサ９２Ａ、９２Ｂ、９２Ｃおよび９２Ｄは、対応する収納ユニット１０１の真下において後側Ｙ２からこの順で前後方向Ｙに沿って一列に並んだ状態で、装置本体１００の底壁１００Ｆに固定されている。検知部８０は、被検知部９０によって遮光されているセンサ９２の位置に応じて、それぞれの収納ユニット１０１の前後方向Ｙの位置を検知する。検知部８０による検知結果は、制御部７５に入力される。
【００７０】
制御部７５は、検知部８０による検知結果に基づいてロック機構７８および移動機構７９の動作を制御することによって、全ての収納ユニット１０１のそれぞれの引き出しを許可したり制限したりすることができる。特に、制御部７５は、いずれかの収納ユニット１０１の引き出しを許可した場合に、他の収納ユニット１０１の引き出しを制限する。具体的には、全ての収納ユニット１０１が収容位置にある場合において（図２参照）、制御部７５は、引き出しを許可した収納ユニット１０１についてのロック機構７８によるロックを解除するとともに、この収納ユニット１０１を移動機構７９によって前側Ｙ１へ移動させる。一方、制御部７５は、他の収納ユニット１０１についてのロック機構７８によるロックを継続する。この状態では、許可された１つの収納ユニット１０１だけが、収容位置から引出位置まで引き出すことができるが、当該他の収納ユニット１０１は、収容位置から引き出すことができない。そのため、物品収納装置１０のバランスが崩れるまで複数（２レーン以上）の収納ユニット１０１が一度に引き出されることを自動で防止できる。これにより、物品収納装置１０では、複数の収納ユニット１０１を一度に引き出してバランスが崩れることによる転倒を防止できる。
【００７１】
例えば、遊技施設によっては、受付カウンタＣの天面と物品収納装置１０の天面の払出面１００Ｂとで高さを合わせるために、物品収納装置１０が嵩上げして設置される場合がある（図２参照）。この場合の物品収納装置１０でも、そのバランスが崩れるまで複数の収納ユニット１０１が一度に引き出されることが防止されるので、物品収納装置１０の転倒を防止できる。
【００７２】
物品収納装置１０のバランスが崩れない範囲において、制御部７５は、許可した収納ユニット１０１だけでなく、他の収納ユニット１０１（単数でも複数でも構わない）についてもロック機構７８によるロックを解除してもよい。ただし、制御部７５は、当該他の収納ユニット１０１が第２引出位置よりも第１引出位置側へ引き出されないように、当該他の収納ユニット１０１についての移動機構７９による移動を制限してもよい。つまり、制御部７５は、当該他の収納ユニット１０１についての第２引出位置よりも第１引出位置側への引き出しを禁止する。そのため、当該他の収納ユニット１０１は、その重心Ｇが物品収納装置１０の装置本体１００外に位置することによって物品収納装置１０のバランスが崩れる第１引出位置まで引き出されない。これにより、物品収納装置１０では、複数の収納ユニット１０１を一度に第１引出位置まで引き出してバランスが崩れることによる転倒を防止できる。
【００７３】
また、制御部７５は、いずれかの収納ユニット１０１の引き出しを許可した状態において、他の収納ユニット１０１が制限を超えて引き出された場合には、例えば表示操作部１０３による表示やブザー等によって警報を発する。他の収納ユニット１０１が制限を超えて引き出された場合とは、１つの収納ユニット１０１だけが収容位置から最大引出位置までの引き出しが許可された状態において当該他の収納ユニット１０１が使用者によって収容位置から手動で引き出された場合のことである。または、収容位置からの引き出しが許可された当該他の収納ユニット１０１が手動で第２引出位置（詳しくは引出途中位置）からさらに引き出された場合も、他の収納ユニット１０１が制限を超えて引き出された場合に相当する。いずれにせよ、このように警報が発せられることにより、当該他の収納ユニット１０１が第１引出位置までさらに引き出されて物品収納装置１０のバランスが崩れることによる転倒を事前に防止できる。
【００７４】
次に、補充処理、識別計数処理および繰出払出処理について、この順番で詳しく説明する。補充処理の場合には、使用者が、表示操作部１０３（図２参照）を操作することによって、補充処理の対象となる収納ユニット１０１を１つ選択する。すると、制御部７５は、選択された収納ユニット１０１についてのロック機構７８によるロックを解除することによって、この収納ユニット１０１の最大引出位置までの引き出しを許可する。他の収納ユニット１０１についての扱いは、前述した通りである。なお、制御部７５は、補充処理の対象となる収納ユニット１０１のロックが解除された旨を、表示操作部１０３等において報知してもよい。
【００７５】
次に、使用者が、ロックが解除された収納ユニット１０１の取っ手８１を掴んで前側Ｙ１に引くと、制御部７５は、使用者による引出操作をセンサ８３（図７参照）によって検知する。これに応じて、制御部７５は、移動機構７９によって、この収納ユニット１０１を引出開始位置までゆっくりと移動させ、引出開始位置において停止させる。使用者が、引出開始位置まで移動した収納ユニット１０１の取っ手８１を後側Ｙ２に押すと、制御部７５は、使用者による戻し操作をセンサ８３によって検知し、移動機構７９によって、この収納ユニット１０１を収容位置まで戻す。
【００７６】
一方、使用者が、引出開始位置の収納ユニット１０１の取っ手８１を再び前側Ｙ１に引くと、制御部７５は、使用者によるさらなる引出操作をセンサ８３によって検知し、移動機構７９によって、この収納ユニット１０１を引出開始位置から最大引出位置まで自動で移動させる。引出開始位置から最大引出位置まで移動する収納ユニット１０１に使用者が不意にぶつかっても、その間は、移動機構７９の駆動部８８におけるトルクリミッタ（図示せず）が作動することによって駆動部８８のモータが空転するので、収納ユニット１０１の移動が中断される。使用者が収納ユニット１０１から離れると、収納ユニット１０１の移動が再開される。最大引出位置まで移動した収納ユニット１０１では、図６Ｂに示すように、前側収納部１１Ａおよび後側収納部１１Ｂの両方が装置本体１００（１点鎖線で示した装置本体１００）よりも前側Ｙ１に位置している。
【００７７】
最大引出位置まで引き出された収納ユニット１０１では、使用者が各収納部１１（図６Ｂでは後側収納部１１Ｂを参照）の蓋１４を開いて装填口１３Ａを上側Ｚ１に開放する。蓋１４が開くのに先立って制御部７５が搬送体１８を周回移動させ、これにより、通い箱１がセットされていない空のセット部１９が、搬送体１８における上側Ｚ１の水平部分１８Ｂにおいて装填口１３Ａの真下に配置される。装填口１３Ａの真下に配置されたときのセット部１９の位置をセット位置という。セット位置にあるセット部１９は、収納部１１の本体１３の外に露出される。また、前述したように収納部１１が装置本体１００よりも前側Ｙ１に位置しているので、セット位置にあるセット部１９は、装置本体１００の外に露出されている。
【００７８】
搬送体１８とともに周回移動するセット部１９は、セット位置と、繰出部３０と、識別計数部５１の識別部４３および計数部５４との間で巡回する。ただし、蓋１４が開いて使用者が装填口１３Ａから収納部１１内にアクセス可能な状態では搬送体１８が周回移動しないようにするために、各収納部１１には、制御部７５に対して電気的に接続されたセンサ８４（図７参照）が設けられている。
【００７９】
センサ８４の一例は、蓋１４の開閉を検知するセンサである。この場合、蓋１４が開いていることをセンサ８４が検知している間は、制御部７５は、この蓋１４が設けられた収納部１１内の搬送体１８を停止させる。制御部７５は、この蓋１４が閉じられたことをセンサ８４によって把握すると、搬送体１８の動作を許可して周回移動させ、空のセット部１９をセット位置まで移動させる。センサ８４の別の例は、蓋１４の開閉を検知するのではなく、装填口１３Ａへの使用者のアクセスを検知する非接触式のエリアセンサであってもよい。この場合には、蓋１４が開いた状態において装填口１３Ａへの使用者のアクセスがある間は、制御部７５は、この装填口１３Ａが設けられた収納部１１内の搬送体１８を停止させる。制御部７５は、この装填口１３Ａへの使用者のアクセスがなくなったことをセンサ８４によって把握すると、搬送体１８の動作を許可して周回移動させ、空のセット部１９をセット位置まで移動させる。なお、センサ８４は、蓋１４の開閉を検知する構成と、装填口１３Ａへの使用者のアクセスを検知する構成との両方を備えてもよい。
【００８０】
使用者は、物品Ｐを収容した状態の通い箱１を、白抜き矢印で示すように基本姿勢の状態で下降させて装填口１３Ａを通過させ、セット位置にある上向き姿勢のセット部１９の出入口１９Ｄに上側Ｚ１から挿入する。これにより、通い箱１が、セット位置のセット部１９にセットする。そのため、通い箱１内の物品Ｐは、収納ユニット１０１内にセットされる。通い箱１がセットされたセット部１９では、開口部１９Ｅ（図４参照）と通い箱１の開口部７（図１参照）とが１つずつ整合した状態にある。なお、通い箱１およびセット部１９の一方に設けられた位置決めリブ（図示せず）が、他方に設けられた位置決め溝（図示せず）に嵌まり込むことによって、通い箱１と、この通い箱１がセットされたセット部１９とが互いに位置決めされている。セット位置のセット部１９に通い箱１がセットされてから蓋１４が閉じられると、他の空のセット部１９がセット位置に配置されるように、制御部７５が搬送体１８を周回移動させる。
【００８１】
そして、他の空のセット部１９にも通い箱１がセットされて、使用者が、蓋１４を閉じて、図８に示すように最大引出位置の収納ユニット１０１の取っ手８１（１点鎖線で示した取っ手８１を参照）を掴んで前側Ｙ１および後側Ｙ２のどちらかに動かす。すると、制御部７５は、使用者による戻し操作をセンサ８３（図７参照）によって検知し、この収納ユニット１０１を移動機構７９によって収容位置まで戻してから、ロック機構７８によって収容位置にてロックする。これにより、この収納ユニット１０１についての補充処理が終了する。このように特定のセット位置でのみセット部１９に通い箱１がセットでき、このセット位置において、異なるセット部１９にアクセスできる収納部１１では、その内部空間の省スペース化を図れるとともに、物品Ｐの収納量を向上できる。
【００８２】
以上では、収納ユニット１０１が最大引出位置まで引き出されたときにおける補充処理について説明したが、収納ユニット１０１が第２引出位置における途中引出位置（２点鎖線参照）まで引き出されたときにも補充処理が可能である。途中引出位置の収納ユニット１０１では、少なくとも前側収納部１１Ａが装置本体１００（図６Ｂにおいて２点鎖線で示した装置本体１００）よりも前側Ｙ１に位置している。使用者が前側収納部１１Ａの蓋１４を開いて装填口１３Ａを上側Ｚ１に開放すると、前側収納部１１Ａ内においてセット位置にあるセット部１９が、前側収納部１１Ａの本体１３の外に露出されるとともに、装置本体１００の外に露出される（図６Ｂも参照）。そのため、使用者は、このセット部１９に通い箱１をセットすることができる。
【００８３】
つまり、収納ユニット１０１では、その重心Ｇが装置本体１００内に位置する途中引出位置まで引き出されれば前側収納部１１Ａのセット部１９が装置本体１００外に露出されてアクセス可能になる。そのため、物品収納装置１０のバランスが崩れない状態において、このセット部１９から収納ユニット１０１内に物品Ｐをセットできる。これにより、複数の収納ユニット１０１を途中引出位置まで引き出せば、これらの収納ユニット１０１に一度に物品Ｐを補充することができるので、遊技施設では運用上のメリットがある。
【００８４】
識別計数処理の場合には、図９Ａを参照して、制御部７５が、前側収納部１１Ａでは搬送体１８を右側面視において反時計回りに周回移動させ、後側収納部１１Ｂでは搬送体１８を右側面視において時計回りに周回移動させる。各収納部１１では、識別計数処理の対象となるセット部１９が第１変更部材５７に上側Ｚ１から接近すると、制御部７５が、第１変更部材５７を一時的に待機位置から傾斜位置まで傾ける。これにより、識別計数処理の対象となるセット部１９の左右両側にそれぞれ設けられた３つの被ガイド部２０は、傾斜位置の第１変更部材５７に沿って傾いた状態で並び、下側Ｚ２の被ガイド部２０から順に、第１ガイド部材５５Ａの一対のレール５６の間に進入する。その結果、当該セット部１９は、３つの被ガイド部２０が全て一対のレール５６の間に入り込むことによって、出入口１９Ｄが横を向いた横向き姿勢になる。
【００８５】
前側収納部１１Ａでは、前側下端にあるセット部１９が横向き姿勢にあって、このセット部１９の出入口１９Ｄが前側Ｙ１を向いている。また、このセット部１９にセットされた通い箱１も、出入口６が前側Ｙ１を向いた横向き姿勢にあって、通い箱１内の物品Ｐは、上下方向Ｚに積層された状態で、出入口６から前側Ｙ１へはみ出しており、当該物品Ｐのはみ出し側端面（前側収納部１１Ａの場合には、当該物品Ｐの前端面）が識別計数部５１側を向いている。後側収納部１１Ｂでは、後側下端にあるセット部１９が横向き姿勢にあって、このセット部１９の出入口１９Ｄが後側Ｙ２を向いている。また、このセット部１９にセットされた通い箱１も、出入口６が後側Ｙ２を向いた横向き姿勢にあって、通い箱１内の物品Ｐは、上下方向Ｚに積層された状態で、出入口６から後側Ｙ２へはみ出しており、当該物品Ｐのはみ出し側端面（後側収納部１１Ｂの場合には、当該物品Ｐの後端面）が識別計数部５１側を向いている。なお、横向き姿勢のセット部１９では、セットされた通い箱１の出入口６からの物品Ｐの脱落を防止するために、出入口１９Ｄが真横でなく、僅かに斜め上側へ向いていることが好ましい。
【００８６】
図９Ａに示すようにセット部１９が上向き姿勢から横向き姿勢に変わって識別計数部５１に上側Ｚ１から接近すると、制御部７５は、搬送体１８の周回移動を停止する。このとき、各収納部１１では、識別計数部５１における識別部５３および計数部５４の組が、横向き姿勢のセット部１９にセットされた通い箱１の各収容空間５に対して１組ずつ左右方向Ｘにおいて同じ位置にある（図９Ｂ参照）。この状態で、制御部７５は、識別計数部５１を、例えば下端の待機位置から上昇させる。その際、各組における識別部５３および計数部５４が、当該通い箱１において左右方向Ｘで同じ位置にある収容空間５に前後方向Ｙから対向しながら上昇する。識別部５３は、左右方向Ｘで同じ位置にある収容空間５に収容されて上下方向Ｚに積層された状態にある物品Ｐを下側Ｚ２から順に１つずつ非接触で識別し、計数部５４は、当該収容空間５に収容されて上下方向Ｚに積層された状態にある物品Ｐを下側Ｚ２から順に１つずつ非接触で計数する。横向き姿勢のセット部１９にセットされた通い箱１の各収容空間５における全ての物品Ｐについての識別および計数が完了して識別計数部５１が待機位置まで下降すると、識別計数処理が終了する。
【００８７】
識別計数処理により、制御部７５は、通い箱１における５つの収容空間５のそれぞれに収容された各物品Ｐについての種類や真偽を把握したり、各収容空間５に収容された物品Ｐの数を把握したりすることができる。特に、１つの通い箱１について、その最大収容枚数（ここでは１００枚）という大きい単位を基準とするのではなく、通い箱１における各収容空間５の最大収容枚数（ここでは２０枚）という小さい単位を基準として、識別計数処理が行われる。そのため、制御部７５は、各通い箱１について、収容空間５毎に、物品Ｐが０枚のエンプティまたは物品Ｐが所定枚数未満のニアエンプティといった収容状況を検知して在庫情報として記憶部７７に記憶し、必要に応じて表示操作部１０３において使用者に報知できる。報知を受けた使用者は、その後の補充処理によりエンプティまたはニアエンプティの収容空間５に物品Ｐを早めに追加することによって、通い箱１において物品Ｐをきめ細かく且つスピーディに補充できる。これにより、各通い箱１において全ての収容空間５に十分な枚数の物品Ｐが常に存在する状況を継続することができる。そのため、遊技客を待たせることなく、必要な種類および枚数の物品Ｐを払い出すことができる。
【００８８】
以上のように、セット部１９の被ガイド部２０と、傾斜位置まで傾く第１変更部材５７と、一対のレール５６の間に３つの被ガイド部２０を受け入れる第１ガイド部材５５Ａとは、識別計数部５１に接近してきたセット部１９にセットされた通い箱１内の物品Ｐが識別計数部５１側に露出されるように、当該セット部１９の姿勢を横向き姿勢に変更する計数姿勢変更機構５９を構成する。この場合、識別計数部５１の計数部５４は、この通い箱１に収容されて計数姿勢変更機構５９によって識別計数部５１側に露出された物品Ｐを確実に計数することができる。
【００８９】
なお、識別計数部５１では、識別部５３および計数部５４というように、物品Ｐを識別するための構成と、物品Ｐを計数するための構成とが別々に設けられているが、例えば、識別部５３が計数部５４の機能を兼ねてもよい。その場合の識別部５３の一例は、図１０において模式的に示すように、赤色光の光源（図示せず）を有して赤色の反射光を検知する第１反射センサ５３Ａと、緑色光の光源（図示せず）を有して緑色の反射光を検知する第２反射センサ５３Ｂと、青色光の光源（図示せず）を有して青色の反射光を検知する第３反射センサ５３Ｃとを含む。第１反射センサ５３Ａ、第２反射センサ５３Ｂおよび第３反射センサ５３Ｃは、上下方向Ｚに並んで配置されている。
【００９０】
ステッピングモータで構成された駆動部（図示せず）の動作に応じて識別計数部５１が待機位置から上昇すると、識別部５３が、横向き姿勢の通い箱１の収容空間５に前後方向Ｙから対向しながら上昇し、当該収容空間５に収容されて上下方向Ｚに積層された状態にある物品Ｐの色を下側Ｚ２から順に１つずつ識別する。識別部５３を構成する各反射センサの出力波形は、図１１に示される。図１１において、横軸は、ステッピングモータに与えられるステッピングパルスの数（換言すれば識別部５３の上昇量）であり、縦軸は、識別部５３の出力結果となるＲＧＢ値である。ステッピングパルス数とＲＧＢ値とは同期して出力される。上下に隣り合う物品Ｐの境界では、反射光が少ない（つまり反射率が小さい）ことによってＲＧＢ値が極端に大きくなる（図１１において破線円で囲った部分を参照）。そこで、識別部５３は、ＲＧＢ値が急上昇する度に物品Ｐの境界を検知し、隣り合う境界間のＲＧＢ値から１つの物品Ｐの色（つまり物品Ｐの種類）を検知するとともに、物品Ｐの境界をカウントすることによって物品Ｐを計数することもできる。なお、識別計数部５１の待機位置は任意に変更でき、識別計数部５１は、待機位置から下降することによって物品Ｐの色を識別したり物品Ｐを計数したりしてもよい。
【００９１】
また、識別計数部５１が、複数の物品Ｐの積層体（図１０では５枚の物品Ｐによる束）を通過すると、通過開始時および通過終了時のそれぞれにおいてＲＧＢ値が大幅に変化する。そこで、制御部７５は、通過開始時と通過終了時との間におけるステッピングパルス数の差（積層体の積層高さＷに相当する）を、１枚の物品Ｐの厚さに相当するステッピングパルス数で割り、これによって得られる値を積層体における物品Ｐの枚数として算出してもよい。この場合、制御部７５は、識別計数部５１が一回上昇する間に、物品Ｐの境界のカウントに基づく計数と、積層体の積層高さＷに基づく計数とを実行する。なお、積層体の積層高さＷに基づく計数は、識別部５３が計数部５４の機能を兼ねない場合、つまり、計数部５４が単体で存在する場合にも適用できる。
【００９２】
図１２に示すように、物品Ｐには、その端面に印刷等によるマーキングＭが施されたり、角に面取りＮが施されたりすることがある（図１も参照）。マーキングＭには、汚れも含まれる。識別計数部５１からの光がマーキングＭや面取りＮに照射されると、その反射光が安定しないので、識別計数部５１が物品Ｐの色を正確に識別したり物品Ｐを正確に計数したりすることが困難である。そこで、各収納部１１には、制御部７５に対して電気的に接続されて識別計数部５１を左右方向Ｘにスライドさせる駆動機構６２（図１０参照）が設けられる。駆動機構６２は、例えば、識別部５３および計数部５４が固定されて左右方向Ｘに延びるラックギア（図示せず）と、このラックギアに噛み合ったピニオンギア（図示せず）と、ピニオンギアを回転させるモータ等の駆動部（図示せず）とを含む。ピニオンギアおよび駆動部は、例えばホルダ５２（図９Ｂ参照）に設けられる。
【００９３】
制御部７５は、識別計数処理において物品Ｐの識別および計数のために識別計数部５１を上下方向Ｚのどちらかに移動させる本処理を例えば２回実施する。この場合、制御部７５は、先の本処理の最後に、次の本処理の開始に先立って駆動機構６２の駆動部（図示せず）を駆動させて識別計数部５１を左右方向Ｘにおける別の位置に移動させる。つまり、制御部７５は、同一の物品Ｐについて、左右方向Ｘで異なる２個所で本処理を繰り返す。２回の本処理のいずれにおいても、識別計数部５１からの光が物品ＰにおいてマーキングＭや面取りＮを避けた部分に照射されたのであれば、２回の本処理において、物品Ｐの色についての識別結果同士が一致し、且つ、物品Ｐについての計数結果同士も一致する。この場合は、正確な識別結果および計数結果が得られる。
【００９４】
２回の本処理のうち、一方では識別計数部５１からの光が物品ＰにおいてマーキングＭや面取りＮを避けた部分に照射されたものの、他方では識別計数部５１からの光がマーキングＭや面取りＮに照射された場合には、２回の本処理において、識別結果同士が不一致となり、且つ、計数結果同士も不一致となる。この場合には、制御部７５は、識別結果および計数結果が異常であったと判断し、その旨を表示操作部１０３等において使用者に報知してもよい。または、制御部７５は、２回分の本処理による出力波形（図１１参照）のうち、マーキングＭや面取りＮの影響により明らかに不自然となった一方の出力波形を不採用とし、残りの出力波形による識別結果および計数結果を正常な結果として採用してもよい。これにより、マーキングＭや面取りＮの有無に問わず、正確な識別計数処理を実施できる。
【００９５】
繰出払出処理に関連して、使用者が、遊技客からの依頼に応じて物品管理装置９の操作部９Ａを操作すると、物品Ｐの払い出しの指示が物品管理装置９から物品収納装置１０に入力される。すると、制御部７５は、入力された指示に応じた種類および数の物品Ｐが物品収納装置１０から払い出されるように繰出払出処理を開始する。繰出払出処理は、通い箱１から物品Ｐを１枚ずつ繰り出す繰出処理と、繰り出された物品Ｐを機外へ払い出す払出処理とを含む。
【００９６】
図１３Ａを参照して、まず、繰出処理として、制御部７５は、前側収納部１１Ａでは搬送体１８を右側面視において時計回りに周回移動させ、後側収納部１１Ｂでは搬送体１８を右側面視において反時計回りに周回移動させる。各収納部１１では、繰出処理の対象となるセット部１９が第２変更部材５８に上側Ｚ１から接近すると、制御部７５が、第２変更部材５８を一時的に待機位置から傾斜位置まで傾ける。これにより、繰出処理の対象となるセット部１９の左右両側にそれぞれ設けられた３つの被ガイド部２０は、傾斜位置の第２変更部材５８に沿って傾いた状態で並び、下側Ｚ２の被ガイド部２０から順に、第２ガイド部材５５Ｂの一対のレール５６の間に進入する。その結果、当該セット部１９は、３つの被ガイド部２０が全て一対のレール５６の間に入り込むことによって、出入口１９Ｄが横を向いた横向き姿勢になる。
【００９７】
前側収納部１１Ａでは、後側上端にあるセット部１９が横向き姿勢にあって、このセット部１９の出入口１９Ｄが後側Ｙ２を向いている。また、このセット部１９にセットされた通い箱１も、出入口６が後側Ｙ２を向いた横向き姿勢にあって、通い箱１内の物品Ｐは、上下方向Ｚに積層された状態で、出入口６から後側Ｙ２へはみ出していて、当該物品Ｐのはみ出し側端面（前側収納部１１Ａの場合には、当該物品Ｐの後端面）が繰出払出部１２側を向いている。後側収納部１１Ｂでは、前側上端にあるセット部１９が横向き姿勢にあって、このセット部１９の出入口１９Ｄが前側Ｙ１を向いている。また、このセット部１９にセットされた通い箱１も、出入口６が前側Ｙ１を向いた横向き姿勢にあって、通い箱１内の物品Ｐは、上下方向Ｚに積層された状態で、出入口６から前側Ｙ１へはみ出していて、当該物品Ｐのはみ出し側端面（後側収納部１１Ｂの場合には、当該物品Ｐの前端面）が繰出払出部１２側を向いている。なお、横向き姿勢のセット部１９では、セットされた通い箱１の出入口６からの物品Ｐの脱落を防止するために、出入口１９Ｄが真横でなく、僅かに斜め上側へ向いていることが好ましい。
【００９８】
図１３Ａに示すように、横向き姿勢のセット部１９にセットされた通い箱１内における最下位の物品Ｐが払出ユニット２８の払出部４１の上面と上下方向Ｚにおいてほぼ同じ位置になると、制御部７５は、搬送体１８の周回移動を停止させる。このとき、払出ユニット２８では、枠部４０および払出部４１の両方が待機位置にあるが、制御部７５は、必要に応じて払出部４１が昇降させることによって、払出部４１と通い箱１との上下の相対位置を調整してもよい。各払出部４１は、横向き姿勢のセット部１９にセットされた通い箱１の各収容空間５と、左右方向Ｘにおいて１つずつ同じ位置にある（図１３Ｂ参照）。
【００９９】
制御部７５は、搬送体１８の周回移動を停止した後に、繰出払出部１２における各繰出ユニット２７を、今までの待機位置から、図１３Ａに示す繰出位置まで回動させる。なお、搬送体１８の周回移動が停止する直前に、繰出ユニット２７が繰出位置まで回動してもよい。繰出位置の繰出ユニット２７Ａでは、各繰出部３０が、前側収納部１１Ａの本体１３の内部空間に後側Ｙ２から進入し、横向き姿勢のセット部１９にセットされた通い箱１における左寄りの２つの収容空間５の真下に１つずつ配置されている（図１３Ｂ参照）。繰出位置の繰出ユニット２７Ｂでは、各繰出部３０が、後側収納部１１Ｂの本体１３の内部空間に前側Ｙ１から進入し、横向き姿勢のセット部１９にセットされた通い箱１における右寄りの２つの収容空間５の真下に１つずつ配置されている（図１３Ｂ参照）。
【０１００】
繰出位置の各繰出ユニット２７では、支持部２９（図５参照）が、横向き姿勢のセット部１９に下側Ｚ２から接触して、このセット部１９を下側Ｚ２から支えている。なお、セット部１９および支持部２９の一方に設けられた位置決め突起（図示せず）が、他方に設けられた位置決め穴（図示せず）に嵌まり込むことによって、セット部１９と支持部２９とが互いに位置決めされている。また、各繰出部３０では、繰出ベルト３１の平坦部分３１Ａが、横向き姿勢のセット部１９における下側Ｚ２の側壁１９Ａに沿っている。なお、図１３Ａでは、図示の都合上、繰出ベルト３１を破線で示している。
【０１０１】
次に、制御部７５は、繰出位置の繰出ユニット２７の各繰出部３０において、繰出ベルト３１を周回移動させ、繰出ローラ３３を駆動回転させる。このとき、繰出ユニット２７Ａでは、右側面視において繰出ベルト３１が時計回りに方向に周回移動して繰出ローラ３３が反時計回りに回転し、繰出ユニット２７Ｂでは、右側面視において繰出ベルト３１が反時計回りに方向に周回移動して繰出ローラ３３が時計回りに回転する。
【０１０２】
繰出ベルト３１の周回移動によって、繰出ベルト３１に設けられた繰出部材３４が、繰出ベルト３１の平坦部分３１Ａにおいて払出部４１側へ水平移動する。その際、繰出部材３４は、横向き姿勢のセット部１９における下側Ｚ２の側壁１９Ａの開口部１９Ｅ（図４参照）と、このセット部１９にセットされた通い箱１において当該開口部１９Ｅに整合した開口部７（図１参照）とに進入して、当該通い箱１の収容空間５内の最下位の物品Ｐを引っ掛けて払出部４１側へ繰り出す。払出部４１側へ繰り出された物品Ｐは、駆動回転される繰出ローラ３３に接触することによって払出部４１側へ押し出され、左右方向Ｘで同じ位置にある１つの払出部４１上に載る。そして、繰出ベルト３１の周回移動と繰出ローラ３３の回転が繰り返されることによって、横向き姿勢のセット部１９にセットされた通い箱１において各繰出部３０の真上に位置する収容空間５内の物品Ｐが、下側Ｚ２の物品Ｐから順に１つずつ繰り出されて、払出部４１上に集積される。なお、制御部７５は、繰り出された物品Ｐが払出部４１において上側Ｚ１に集積されるように、物品Ｐの繰り出しの度に、払出部４１を待機位置から徐々に下降させる。
【０１０３】
各繰出ユニット２７には、繰出部３０が２つ存在するので、横向き姿勢のセット部１９にセットされた通い箱１において左右に隣り合う２つの収容空間５から一度に物品Ｐを繰り出すことができる。制御部７５は、これらの収容空間５からの物品Ｐの繰り出しが終了すると、次の繰出処理として、各繰出部３０を、左右方向Ｘにスライドさせることによって、別の収容空間５の真下まで移動させ、当該別の収容空間５から物品Ｐを繰り出すことができる。
【０１０４】
また、通い箱１における全ての収容空間５が空になると、制御部７５は、次の繰出処理として、繰出ユニット２７を一旦待機位置に戻し、必要に応じて払出部４１を待機位置まで戻した後に搬送体１８を周回移動させ、別の通い箱１がセットされたセット部１９を横向き姿勢にする。その後、制御部７５は、繰出ユニット２７を繰出位置まで回動させて、当該別の通い箱１から物品Ｐを繰り出す。さらに、制御部７５は、各収納ユニット１０１において、前側収納部１１Ａおよび後側収納部１１Ｂのうちの一方のセット部１９の物品Ｐを繰出ユニット２７によって繰り出すだけでなく、同時の繰出処理として両方の繰出ユニット２７によって両方の収納部１１のセット部１９の物品Ｐを一度に繰り出してもよい。以上のように、制御部７５は、複数の繰出処理を実行して物品Ｐを複数の通い箱１からかき集めることにより、必要な種類および数の物品Ｐを繰り出すことができる。
【０１０５】
５つの繰出空間４０Ｃにおける各払出部４１において、ある通い箱１から複数の物品Ｐが繰り出されて集積された後に払出部４１を待機位置に戻して、次の繰出処理において、同じ種類の物品Ｐが繰り出されて当該払出部４１上にさらに集積される場合が想定される。この場合には、次の繰出処理での物品Ｐが払出部４１上の物品Ｐにスムーズに積み重なるように、制御部７５は、この払出部４１を、払出部４１上の物品Ｐの積層高さに応じて待機位置から下降させる必要がある。これでは、繰出処理後の払出処理が始まるまでの時間が長くなる。そこで、先の繰出処理において、制御部７５は、ある払出部４１に物品Ｐを上限数（例えば１０枚）まで繰り出して集積した場合には、次の繰出処理において物品Ｐを別の空の払出部４１に繰り出してもよい。これにより、既に物品Ｐが集積された払出部４１を一旦下降させる処理を省略できるので、繰出処理の短縮化を図れる。上限数未満の物品Ｐが集積された払出部４１には、払出部４１上の物品Ｐが上限数に達するまで、次の繰出処理において物品Ｐをさらに積層してもよい。なお、前述した識別計数処理において対象外と識別された物品Ｐは、繰り出されずに通い箱１に残されて、その後に使用者によって回収されてもよい。
【０１０６】
制御部７５は、以上の繰出処理を完了すると、払出処理を開始する。具体的には、制御部７５は、払出処理の対象となる収納ユニット１０１の真上のシャッタ１０２を、図１３Ａに示すように開位置までスライドさせて、装置本体１００の払出口１００Ｄを開放する。そして、制御部７５は、払出ユニット２８の枠部４０を、全ての払出部４１を伴って上限位置まで上昇させ、その後、全ての払出部４１を、破線で示す払出位置まで上昇させる。これにより、各払出部４１上に繰り出された物品Ｐが、払出口１００Ｄから上側Ｚ１に露出されることによって機外へ払い出されるので、使用者は、払出部４１上の物品Ｐを受け取ることができる。
【０１０７】
使用者は、各払出部４１における左右の両端縁の窪み４１Ａ（図１３Ｂ参照）に指を掛けることによって、払出部４１上の物品Ｐを容易に掴むことができる。また、全ての払出部４１が払出位置まで上昇することにより、各払出部４１上の物品Ｐを一度に払い出すことができるので、払い出しのスピードアップを図れる。また、各払出部４１の左右の両隣には、枠部４０の仕切部４０Ｂが存在し、払出部４１によって払い出される物品Ｐの間（隣り合う払出部４１の間）を仕切るので（図５参照）、払出部４１が払出位置まで上昇するまでの間に払出部４１上の物品Ｐが崩れて、隣り合う払出部４１上の物品Ｐ同士が衝突することを防止できる。つまり、仕切部４０Ｂによって、物品Ｐを、隣り合う払出部４１上の物品Ｐ同士が重ならないように、各払出部４１上において別々に積層された状態で払い出すことができる。また、枠部４０が上限位置まで移動した後は、払出部４１だけが枠部４０からずれて単独で払出位置まで上昇し、払出部４１が払出位置に到達したときには、各仕切部４０Ｂは払出口１００Ｄから上側Ｚ１へはみ出していない。そのため、使用者は、払出位置の払出部４１上にある物品Ｐを、仕切部４０Ｂに邪魔されずに容易に受け取ることができる。
【０１０８】
払出部４１上の物品Ｐが取り出された後に、制御部７５は、枠部４０および払出部４１を、それぞれの待機位置まで下降させ、今まで開位置にあったシャッタ１０２を閉位置までスライドさせる。そして、制御部７５が各繰出ユニット２７を繰出位置から待機位置（図９Ａ参照）まで戻すと、払出処理が終了し、一連の繰出払出処理が完了する。なお、制御部７５は、開位置のシャッタ１０２を前側Ｙ１の閉位置までスライドさせることにより、払出部４１上の物品Ｐをシャッタ１０２によって装置本体１００の払出面１００Ｂ上に押し出してもよい。この場合、使用者は、払出面１００Ｂ上に押し出された物品Ｐを受け取って遊技客に手渡す。また、各繰出ユニット２７の繰出位置から待機位置までの移動は、払出処理の終了時でなく、払出処理の開始時に行われてもよい。
【０１０９】
以上のように、セット部１９の被ガイド部２０と、傾斜位置まで傾く第２変更部材５８と、一対のレール５６の間に３つの被ガイド部２０を受け入れる第２ガイド部材５５Ｂとは、繰出部３０に接近してきたセット部１９にセットされた通い箱１内の物品Ｐが繰出部３０側に露出されるように、当該セット部１９の姿勢を横向き姿勢に変更する繰出姿勢変更機構６０を構成する。この場合、繰出部３０は、この通い箱１から繰出姿勢変更機構６０によって繰出部３０側に露出された物品Ｐを確実に繰り出すことができる。
【０１１０】
前述したように、繰出処理が繰り出されることによって、必要な種類および数の物品Ｐが揃ってから払出処理が１回だけ実行されるので、繰出処理が１回実行される度に払出処理が毎回実行される場合に比べて繰出払出処理の全体の時間短縮を図れる。また、必要な種類および数の物品Ｐがまとめて払い出されるので、遊技客に対して物品Ｐをスムーズに払い出すことができる。
【０１１１】
また、制御部７５は、前述したように、各セット部１９の通い箱１における収容空間５毎の物品Ｐの収容状況を、記憶部７７における在庫情報に基づいて把握している。そのため、制御部７５は、必要な種類および枚数の物品Ｐが短時間（好ましくは最短時間）で払い出すのに最適な通い箱１およびその収容空間５を、繰出払出処理の開始に先立って決定する。特に、最適な通い箱１および収容空間５が複数存在する場合には、制御部７５は、どの通い箱１の収容空間５から物品Ｐを払い出すかという順番も決定してから、繰出払出処理を開始する。よって、繰出払出処理の効率化を図れる。
【０１１２】
また、以上のように、物品収納装置１０では、物品Ｐを収容する通い箱１をセット部１９にセットすれば、制御部７５が、繰出部３０によって、この通い箱１から物品Ｐを繰り出し、繰り出された物品Ｐを払出部４１によって機外へ払い出す。つまり、通い箱１に収容された物品Ｐを、手作業によって通い箱１から取り出して物品収納装置１０内に移し替えなくても、物品Ｐを収容した通い箱１をセット部１９にセットすれば、物品収納装置１０は、物品Ｐの繰り出しおよび払い出しが可能な状態になる。また、遊技施設の営業終了後には、払い出されなかった物品Ｐを収容した通い箱１をセット部１９から取り出せば、この物品Ｐを通い箱１に収容された状態で速やかに回収できる。そのため、通い箱１に収容された状態で流通する物品Ｐの取り扱いについての使い勝手の向上を図れる。
【０１１３】
繰出払出処理に関連して、物品管理装置９は、遊技客からの物品Ｐの払い出しや一般賞品の交換等の依頼を、先の依頼による取引が完了する度に１件ずつ受け付けるのでなく、先の取引が完了してなくても、複数の次の依頼を順番に受け付けることができてもよい。この場合、使用者は、受付カウンタＣにおいて、ある遊技客からの依頼を受け付けて物品管理装置９によって物品Ｐの払い出しの指示を物品収納装置１０に入力した後に、この依頼についての取引である繰出払出処理が完了前であっても、次の遊技客からの依頼を受け付けるために物品管理装置９の操作部９Ａ（図２参照）を操作して、次の依頼についての物品Ｐの払い出しの指示を物品収納装置１０に入力することができる。複数の依頼の内容は、操作部９Ａにおけるタッチパネル等（図２参照）と物品収納装置１０の表示操作部１０３とにおいて、受け付けられた順にリスト化されて表示される。
【０１１４】
先の取引についての繰出払出処理を実施中の物品収納装置１０では、準備手段の一例である制御部７５が、次の依頼での取引に必要な物品Ｐを準備できる収納部１１を、記憶部７７における各通い箱１の在庫情報に基いて検索する。現在進行中の繰出払出処理において物品Ｐが繰り出されている収納部１１や、この収納部１１以外の収納部１１（他の収納ユニット１０１の収納部１１も含む）は、次の取引に必要な物品Ｐを準備できる収納部１１として挙げられる。そして、制御部７５は、検索の結果として見つかった収納部１１において、次の依頼の繰出払出処理のための準備処理として、現在進行中の繰出払出処理の完了後に物品Ｐの繰り出しが速やかに開始できるように、必要に応じて搬送体１８を周回移動させて、当該物品Ｐが存在するセット部１９を、例えば払出部４１の近傍等の最適位置に配置する。なお、制御部７５は、現在進行中の繰出払出処理に支障がなければ、次の繰出払出処理で払い出す物品Ｐが存在するセット部１９を横向き姿勢にしたり、さらには、当該物品Ｐを他の収納ユニット１０１の払出部４１に繰り出したりすることによって、次の繰出払出処理の一部（つまり繰出処理）を前倒ししてもよい。これにより、現在の繰出払出処理の完了後に次の繰出払出処理が速やかに開始される。
【０１１５】
このように複数の依頼を次々と受け付けて繰出払出処理を連続して実行する場合には、依頼をした複数の遊技客に対して次々に物品Ｐを払い出せるので、スムーズな物品Ｐの提供が可能になる。よって、受付カウンタＣに赴いた遊技客は、先の遊技客についての繰出払出処理が完了するまでの間において、依頼もできずに待つことはないので、各遊技客が受付カウンタＣに赴いてから物品Ｐまたは一般賞品を受け取るまでの時間を短縮できる。そのため、遊技施設では、賞品交換に係る運用効率の向上を図れる。なお、例えば左右に並んだ２台の物品管理装置９の間に１台の物品収納装置１０が配置させて、各物品管理装置９からこの物品収納装置１０に物品Ｐの払い出しの指示が入力される場合がある。この場合には、現在進行中の繰出払出処理についての指示を入力した物品管理装置９がどれであるかを指し示す矢印等が、物品収納装置１０の表示操作部１０３に表示されるとよい。これにより、現在進行中の繰出払出処理の対象となる物品管理装置９が明確になることによって、使用者の混乱を避けられるので、物品Ｐの受け渡し先となる遊技客を間違えることを防止できる。
【０１１６】
繰出払出処理に関連して、各繰出部３０について詳しく説明する。図１４Ａ〜図１４Ｃは、待機位置にある繰出ユニット２７における各繰出部３０の内部構造の右側面図である。図１４Ａを参照して、各繰出部３０は、繰出ローラ３３よりも繰出空間４０Ｃ側に配置されて上下に並んだ上板６５および下板６６を含む。上板６５の下端と下板６６の上端との間には、左右に細長いスリット状の出口６７が区画されている。出口６７は、物品Ｐを１つだけ通せる大きさを有し、繰出ローラ３３と、繰出ベルト３１を挟んで繰出ローラ３３に対向したローラ３２との間に繰出空間４０Ｃ側から臨んでいる。各繰出部３０は、繰出ローラ３３の周辺において、カウントレバー６８、フラッパー６９、付勢部材７０およびカウントセンサ７１を含む。カウントレバー６８、フラッパー６９、付勢部材７０およびカウントセンサ７１は、出口６７に対して繰出空間４０Ｃ側とは反対側に位置しており、上板６５および下板６６とともに繰出部３０のフレーム（図示せず）によって支持されている。
【０１１７】
カウントレバー６８は、左右方向Ｘに延びた回動軸６８Ａと、回動軸６８Ａから出口６７へ向けて斜め上側に延びた第１レバー部６８Ｂと、回動軸６８Ａから下側Ｚ２へ延びた第２レバー部６８Ｃとを含み、回動軸６８Ａまわりに回動可能である。フラッパー６９は、第１レバー部６８Ｂに連結されていて、第１レバー部６８Ｂから出口６７へ延びた後に上側Ｚ１へ屈曲している。フラッパー６９は、カウントレバー６８とともに回動する。フラッパー６９は、出口６７を塞いだ閉位置（図１４Ａ参照）と、出口６７から下側Ｚ２へずれて出口６７を開放した開位置（図１４Ｂ参照）との間で回動する。付勢部材７０は、下板６６と第２レバー部６８Ｃとの間に架設されていて、フラッパー６９が閉位置に配置されるように、第２レバー部６８Ｃを繰出空間４０Ｃ側へ引っ張っている。
【０１１８】
カウントセンサ７１は、例えばフォトインタラプタであって、制御部７５に対して電気的に接続されている。フラッパー６９が閉位置にあるときには、第２レバー部６８Ｃの下端部がカウントセンサ７１の検知領域から外れていることによって、カウントセンサ７１は、フラッパー６９が閉位置にあることを検知する（図１４Ａ参照）。このときのカウントセンサ７１は、ＯＦＦになっている。一方、フラッパー６９が開位置にあるときには、第２レバー部６８Ｃの下端部がカウントセンサ７１の検知領域内に位置することによって、カウントセンサ７１は、ＯＮになり、フラッパー６９が開位置にあることを検知する（図１４Ｂ参照）。
【０１１９】
図１４Ａには、繰出処理の開始直前における繰出部３０が図示されている。繰出処理が開始されると、繰出ベルト３１が周回移動することによって、繰出部材３４が、繰出ベルト３１の平坦部分３１Ａ上における最下位の物品Ｐを引っ掛けて繰出空間４０Ｃ側へスライドする。この物品Ｐは、図１４Ｂに示すように、繰出ローラ３３と、繰出ローラ３３に下側Ｚ２から対向したローラ３２との間を通過して、カウントレバー６８の第１レバー部６８Ｂを押し下げる。これにより、カウントレバー６８が回動してフラッパー６９が開位置に到達し、カウントセンサ７１がＯＦＦからＯＮになる。そのため、第１レバー部６８Ｂを押し下げた物品Ｐは、開放された出口６７を通って繰出空間４０Ｃに進入する。図１４Ｃに示すように物品Ｐが完全に出口６７を通過すると、フラッパー６９が閉位置に戻り、カウントセンサ７１がＯＮからＯＦＦになる。これにより、出口６７を通過した物品Ｐが出口６７に戻って後続の物品Ｐに衝突することが防止される。必要な繰出枚数における最後の物品Ｐを引っ掛けて繰出空間４０Ｃに繰り出した繰出部材３４が定位置（図１３Ａの繰出ユニット２７Ａにおける黒塗りの繰出部材３４を参照）に戻るまで繰出ベルト３１が周回移動すると、繰出処理が終了する。
【０１２０】
図１５を参照して、制御部７５が以上のように繰出処理を開始すると（ステップＳ１）、物品Ｐが繰出空間４０Ｃ側へ繰り出される度にカウントセンサ７１のＯＮ→ＯＦＦが繰り返される。そして、カウントセンサ７１のＯＮ→ＯＦＦが操出枚数分だけ繰り返されると（ステップＳ２でＹＥＳ）、つまり、最後の物品Ｐが繰出空間４０Ｃに繰り出されることによってカウントセンサ７１がＯＮからＯＦＦになると、制御部７５は、速やかに払出処理を開始する。つまり、制御部７５は、最後の物品Ｐを繰り出した繰出部材３４が前記定位置に戻るのを待たずに、シャッタ１０２を開いて（ステップＳ３）、枠部４０を上限位置まで上昇させて払出部４１を払出位置まで上昇させる（ステップＳ４）。これにより、繰出払出処理の全体における時間短縮を図れる。なお、ステップＳ３とステップＳ４とは同時であってもよいし、ステップＳ４がステップＳ３よりも先に実行されてもよい。
【０１２１】
この発明は、以上の実施形態の内容に限定されるものではなく、請求項に記載の範囲内において種々の変更が可能である。
【０１２２】
例えば、ロック機構７８および移動機構７９の両方を備える構成について説明されたが、コスト低減等のために、ロック機構７８および移動機構７９の一方が省略されてもよい。ロック機構７８が省略される場合には、制御部７５は、引き出しを許可した収納ユニット１０１に対応する移動機構７９を駆動させて、この収納ユニット１０１を収容位置から引出位置側へ移動させ、他の収納ユニット１０１に対応する移動機構７９の駆動を停止して他の収納ユニット１０１を収容位置から動かないようにする。または、制御部７５は、移動機構７９を駆動させて当該他の収納ユニット１０１を引出途中位置まで移動させてもよく、その場合には、当該移動機構７９の駆動を停止して、当該他の収納ユニット１０１を引出途中位置で停止させる。これにより、当該他の収納ユニット１０１が引出途中位置からさらに引き出されることが防止される。
【０１２３】
移動機構７９が省略される場合には、各収納ユニット１０１は、使用者の手動によって前後方向Ｙに移動する。この場合において、引き出しを許可した収納ユニット１０１についてのロック機構７８によるロックを解除して、他の収納ユニット１０１についてのロック機構７８によるロックを継続する。これにより、使用者は、ロックが解除された収納ユニット１０１の取っ手８１を掴んで手動によって引き出すことができるが、ロックされた当該他の収納ユニット１０１を収容位置から引き出すことはできない。なお、使用者が引き出した収納ユニット１０１を収容位置まで戻すと、制御部７５は、この収納ユニット１０１をロック機構７８によってロックする。
【０１２４】
また、比較的重量のある各収納ユニット１０１には、比較的大きな慣性負荷が存在する。そのため、制御部７５は、移動中の収納ユニット１０１が途中の規定位置から目的位置に到達するまでの間において、当該収納ユニット１０１についての駆動部８８を減速制御することによって、当該収納ユニット１０１を目的位置で正確に停止させる必要がある。具体的には、図８を参照して、制御部７５は、引出時における収容位置から引出開始位置までの第１区間と、引出時における引出途中位置から最大引出位置までの第２区間と、収容位置への戻し時における引出開始位置から収容位置までの第３区間とにおいて、駆動部８８に流す電流のデューティ比を調整することによって減速制御を実行する。なお、引出時および戻し時のそれぞれにおいて、第１〜第３区間以外におけるデューティ比は、例えば１００％である。
【０１２５】
設置された物品収納装置１０には、水平方向に対する傾きが僅かに存在し得るので、各駆動部８８の駆動にばらつきが存在し得る。これらの傾きやばらつきが各区間における減速制御に影響を与えることにより、各区間における収納ユニット１０１の減速開始から停止までの移動時間が各区間における所定の基準時間に対してばらつく虞がある。そこで、物品収納装置１０の設置時には、以下の初期設定が行われる。
【０１２６】
例えばサービスマン等の作業者が、設置後の物品収納装置１０の表示操作部１０３を操作することによって初期設定の開始を指示する。すると、制御部７５は、移動機構７９の各駆動部８８を駆動させて、収納ユニット１０１を収容位置と最大引出位置との間で往復させる。この際、制御部７５は、第１〜第３区間のそれぞれにおいて、デューティ比を基準デューティ比（例えば３０％）とした減速制御を実行するとともに、各区間における収納ユニット１０１の移動時間を測定する。その結果、各区間における移動時間が、各区間における基準時間よりも短ければ、減速制御中における収納ユニット１０１の移動速度が高いので、制御部７５は、該当する区間におけるデューティ比を基準デューティ比よりも例えば２０％減らすことよって変更する。逆に、各区間における搬送時間が、各区間における基準時間よりも長ければ、減速制御中における収納ユニット１０１の移動速度が低いので、制御部７５は、該当する区間におけるデューティ比を基準デューティ比よりも例えば２０％増やすことよって変更する。
【０１２７】
その後、制御部７５は、収納ユニット１０１を再度往復させ、その際に、第１〜第３区間のそれぞれにおいて変更後のデューティ比での減速制御を実行するとともに、各区間における移動時間を再測定する。制御部７５は、再計測後の各区間における移動時間と基準時間とを比較し、必要に応じて再度デューティ比を変更する。そして、各区間について、制御部７５がデューティ比の変更と変更後の再計測を必要に応じて繰り返す。その結果、最終的に測定された搬送時間が、その誤差が所定以内になる程度に基準時間に近づくと、制御部７５は、このときのデューティ比をデューティ比の設定値として採用し、対応する区間と対応付けて記憶部７７に記憶する。制御部７５は、このような各区間での減速制御におけるデューティ比の初期設定を各収納ユニット１０１について実施する。これにより、初期設定が完了する。
【０１２８】
初期設定の完了後の実際の運用時には、制御部７５は、各収納ユニット１０１を各区間で減速制御する際に、デューティ比の設定値に応じて減速制御する。そのため、物品収納装置１０に傾きが存在したり、各駆動部８８の駆動にばらつきが存在したりしても、各収納ユニット１０１は、各区間での移動時間が基準時間にほぼ一致するように正確に移動できる。なお、以上では、減速制御に着目して説明したが、収納ユニット１０１を減速させる場合以外の速度制御においても、デューティ比を適宜初期設定してもよい。
【０１２９】
なお、運用中において、各収納ユニット１０１の移動に異常が生じることが想定される。例えば、経年変化等によって収納ユニット１０１の動きが渋くなることによって、収納ユニット１０１が収容位置や引出途中位置や引出開始位置や最大引出位置に辿り着けない（各位置に到達したことがセンサ９２によって検知されない）ことが想定される。また、何らかの理由により収納ユニット１０１が速すぎることによって、収納ユニット１０１が収容位置や最大引出位置に到達したときに跳ね返り、これにより、センサ９２に誤検知が生じることも想定される。このように異常が生じた場合には、制御部７５は、暫定的にデューティ比を変更して、収納ユニット１０１の移動についてのリトライ処理を実行してもよい。また、制御部７５は、リトライ処理の回数を記憶部７７に記憶しておいて、この回数が所定回数に到達した場合には、デューティ比を最適値に更新してもよい。これにより、物品収納装置１０に経年変化が生じても、各収納ユニット１０１は、新品時とほぼ同じように正確に移動できる。
【０１３０】
また、物品収納装置１０は、遊技施設のフロアに据え付けられるのではなく、受付カウンタＣ上に設置される卓上タイプであってもよい。
【符号の説明】
【０１３１】
１０    物品収納装置
１９    セット部
４１    払出部
７５    制御部
７８    ロック機構
７９    移動機構
８０    検知部
１００  装置本体
１０１  収納ユニット
１０３  表示操作部
Ｇ      重心
Ｐ      物品
【図１】
2018140051.tif 000003
【図２】
2018140051.tif 000004
【図３】
2018140051.tif 000005
【図４】
2018140051.tif 000006
【図５】
2018140051.tif 000007
【図６Ａ】
2018140051.tif 000008
【図６Ｂ】
2018140051.tif 000009
【図７】
2018140051.tif 000010
【図８】
2018140051.tif 000011
【図９Ａ】
2018140051.tif 000012
【図９Ｂ】
2018140051.tif 000013
【図１０】
2018140051.tif 000014
【図１１】
2018140051.tif 000015
【図１２】
2018140051.tif 000016
【図１３Ａ】
2018140051.tif 000017
【図１３Ｂ】
2018140051.tif 000018
【図１４Ａ】
2018140051.tif 000019
【図１４Ｂ】
2018140051.tif 000020
【図１４Ｃ】
2018140051.tif 000021
【図１５】
2018140051.tif 000022